(57)【要約】      （修正有）【課題】安価で省スペースな色温度可変ＬＥＤ照明装置を提供する。【解決手段】第１ＬＥＤモジュール２３ａと、第２ＬＥＤモジュール２５ａと、第１ＬＥＤモジュール２３ａと第２ＬＥＤモジュール２５ａとを電気的に接続する第１連結部２４ａ１及び第２連結部２４ａ２とを備える第１ＬＥＤ照明ユニット２０ａと、第３ＬＥＤモジュール２３ｂと、第３ＬＥＤモジュール２３ｂと電気的に接続する第３連結部２４ｂ３及び第４連結部２４ｂ４とを備える第２ＬＥＤ照明ユニット２０ｂと、第１連結部２４ａ１及び第２連結部２４ａ２に物理的に連結して第１ＬＥＤモジュール２３ａと第２ＬＥＤモジュール２５ａとの電気的な接続を解除し、第３連結部２４ｂ３及び第４連結部２４ｂ４に物理的に連結して第１ＬＥＤモジュール２３ａと第３ＬＥＤモジュール２３ｂとを電気的に接続する連結用アタッチメント４０ａ，４０ｂを備える。【選択図】図４
2013004189.tif 000002
【特許請求の範囲】
【請求項１】
第１のＬＥＤを実装する第１のＬＥＤ基板と、第２のＬＥＤを実装する第２のＬＥＤ基板と、前記第１のＬＥＤ基板と前記第２のＬＥＤ基板とを接続が解除可能に電気的に接続する第１の接続部とを備える第１のＬＥＤユニットと、
第３のＬＥＤを実装する第３のＬＥＤ基板と、前記第３のＬＥＤ基板と他の基板とを電気的に接続する第２の接続部とを備える第２のＬＥＤユニットと、
前記第１の接続部に物理的に連結するとともに前記第２の接続部に物理的に連結するユニット連結部と
を備え、
前記ユニット連結部は、
前記第１の接続部に物理的に連結することにより前記第１のＬＥＤ基板と前記第２のＬＥＤ基板との電気的な接続を解除するとともに、前記第２の接続部に物理的に連結することにより前記第１のＬＥＤ基板と前記第３のＬＥＤ基板とを電気的に接続する
ことを特徴とするＬＥＤ照明装置。
【請求項２】
前記第１のＬＥＤユニットは、さらに、
電力を供給する第１の電源装置であって、前記第１のＬＥＤ基板に接続される第１の電源装置を備え、
前記第１のＬＥＤ基板は、
前記第１の電源装置から電力の供給を受け、前記第１のＬＥＤを点灯させ、
前記第２のＬＥＤ基板は、
前記ユニット連結部が前記第１の接続部に物理的に連結していない場合に、前記第１の接続部と前記第１のＬＥＤ基板とを介して前記第１の電源装置から電力の供給を受け、前記第２のＬＥＤを点灯させる
ことを特徴とする請求項１に記載のＬＥＤ照明装置。
【請求項３】
前記第３のＬＥＤ基板は、
前記ユニット連結部が前記第１の接続部に物理的に連結しているとともに前記第２の接続部に物理的に連結している場合に、前記第２の接続部と前記第１の接続部と前記第１のＬＥＤ基板とを介して前記第１の電源装置から電力の供給を受け、前記第３のＬＥＤを点灯させる
ことを特徴とする請求項２に記載のＬＥＤ照明装置。
【請求項４】
前記第２のＬＥＤユニットは、さらに、
電力を供給する第２の電源装置と、
前記第２の電源装置と電気的に接続される第４のＬＥＤ基板であって、第４のＬＥＤを実装し、前記第２の電源装置から供給される電力により前記第４のＬＥＤを点灯させる第４のＬＥＤ基板とを備え、
前記第２の接続部は、
前記第３のＬＥＤ基板と前記第４のＬＥＤ基板とを接続が解除可能に電気的に接続し、
前記ユニット連結部は、
前記第２の接続部に物理的に連結することにより前記第３のＬＥＤ基板と前記第４のＬＥＤ基板との電気的な接続を解除するとともに、前記第１の接続部に物理的に連結することにより前記第２のＬＥＤ基板と前記第４のＬＥＤ基板とを電気的に接続し、
前記第２のＬＥＤ基板は、
前記ユニット連結部が前記第１の接続部に物理的に連結しているとともに前記第２の接続部に物理的に連結している場合に、前記第１の接続部と前記第２の接続部と前記第４のＬＥＤ基板とを介して、前記第２の電源装置から電力の供給を受け、前記第２のＬＥＤを点灯させる
ことを特徴とする請求項３に記載のＬＥＤ照明装置。
【請求項５】
前記第１のＬＥＤの色温度と前記第３のＬＥＤの色温度とは、同一の色温度であることを特徴とする請求項４に記載のＬＥＤ照明装置。
【請求項６】
前記第２のＬＥＤの色温度と前記第４のＬＥＤの色温度とは、同一の色温度であるとともに前記第１のＬＥＤの色温度とは異なる色温度であることを特徴とする請求項５に記載のＬＥＤ照明装置。
【請求項７】
前記第１のＬＥＤユニットと前記第２のＬＥＤユニットとは、同一の構成及び同一の形状を備えることを特徴とする請求項１〜６に記載のＬＥＤ照明装置。
【発明の詳細な説明】
【技術分野】
【０００１】
本発明は、例えば、ＬＥＤ照明装置の連結方式に関する。
【背景技術】
【０００２】
１つの発光装置内で共通部品として複数個用いられる同一構造の発光モジュールについて記載されている（例えば、特許文献１参照）。
【先行技術文献】
【特許文献】
【０００３】
【特許文献１】特開２０１０−９８３０２号公報
【発明の概要】
【発明が解決しようとする課題】
【０００４】
色温度可変のＬＥＤ照明器具においては、ＬＥＤの光色毎に独立して明るさが制御できる電源が必要であった。そのため、１つのＬＥＤ照明器具においても光色の数だけ電源が必要で、ＬＥＤ照明器具を小さくすることができなかった。特に、間接照明では、色温度可変の機能が要求されるとともに器具の小型化が要求されるが、これらは実現が困難である。
【０００５】
一方、光色の異なる複数のＬＥＤを備えているが小型化のために電源を１つ搭載したＬＥＤ照明器具の場合は、明るさの制御はできても光色の制御ができない。
【０００６】
すなわち、色温度可変のＬＥＤ照明器具と、電源を１つ搭載したＬＥＤ照明器具とにおいて、どちらにも共通に使用できるＬＥＤ照明ユニットがなく、上記のようなＬＥＤ照明器具を製品化する場合に開発コストが高いものとなるという課題があった。
【０００７】
本発明は、上記のような課題を解決するためになされたもので、色温度可変のＬＥＤ照明装置と電源を１つ搭載したＬＥＤ照明器具とに共通に使用できるＬＥＤ照明ユニットを連結することにより、小型化することができるとともに開発コストの低減を図ることのできるＬＥＤ照明器具を提供することを目的とする。
【課題を解決するための手段】
【０００８】
本発明に係るＬＥＤ照明装置は、第１のＬＥＤを実装する第１のＬＥＤ基板と、第２のＬＥＤを実装する第２のＬＥＤ基板と、前記第１のＬＥＤ基板と前記第２のＬＥＤ基板とを接続が解除可能に電気的に接続する第１の接続部とを備える第１のＬＥＤユニットと、第３のＬＥＤを実装する第３のＬＥＤ基板と、前記第３のＬＥＤ基板と他の基板とを電気的に接続する第２の接続部とを備える第２のＬＥＤユニットと、前記第１の接続部に物理的に連結するとともに前記第２の接続部に物理的に連結するユニット連結部とを備え、前記ユニット連結部は、前記第１の接続部に物理的に連結することにより前記第１のＬＥＤ基板と前記第２のＬＥＤ基板との電気的な接続を解除するとともに、前記第２の接続部に物理的に連結することにより前記第１のＬＥＤ基板と前記第３のＬＥＤ基板とを電気的に接続することを特徴とする。
【発明の効果】
【０００９】
本発明に係るＬＥＤ照明装置は、第１のＬＥＤを実装する第１のＬＥＤ基板と、第２のＬＥＤを実装する第２のＬＥＤ基板と、前記第１のＬＥＤ基板と前記第２のＬＥＤ基板とを接続が解除可能に電気的に接続する第１の接続部とを備える第１のＬＥＤユニットと、第３のＬＥＤを実装する第３のＬＥＤ基板と、前記第３のＬＥＤ基板と他の基板とを電気的に接続する第２の接続部とを備える第２のＬＥＤユニットと、前記第１の接続部に物理的に連結するとともに前記第２の接続部に物理的に連結するユニット連結部とを備え、前記ユニット連結部は、前記第１の接続部に物理的に連結することにより前記第１のＬＥＤ基板と前記第２のＬＥＤ基板との電気的な接続を解除するとともに、前記第２の接続部に物理的に連結することにより前記第１のＬＥＤ基板と前記第３のＬＥＤ基板とを電気的に接続するので、電源の搭載数を減らすことができ、安価で小型な色温度可変ＬＥＤ照明装置を提供できる。
【図面の簡単な説明】
【００１０】
【図１】実施の形態１に係るＬＥＤ照明システム１００ａの構成を示すシステム構成図である。
【図２】実施の形態１に係る第１連結部２４ａ１及び第２連結部２４ａ２の詳細構造を示す断面図である。
【図３】実施の形態１のＬＥＤ照明システム１００ｂを示す構成を示すシステム構成図である。
【図４】実施の形態１に係るＬＥＤ照明システム１００ｃのシステム構成を示す図である。
【図５】実施の形態１に係る連結用アタッチメント４０の詳細構成を示す構成図であり、（ａ）は連結用アタッチメント４０ａ（連結用アタッチメント４０ｂ）に第１連結部２４ａ１（第２連結部２４ａ２）と第３連結部２４ｂ３（第４連結部２４ｂ４）とを連結する前の状態、（ｂ）は連結用アタッチメント４０ａ（連結用アタッチメント４０ｂ）に第１連結部２４ａ１（第２連結部２４ａ２）と第３連結部２４ｂ３（第４連結部２４ｂ４）とを連結した状態を示す図である。
【図６】実施の形態１に係る色温度コントローラー１７ｃの信号波形を示す図であり、（ａ）は第１ＬＥＤ電源装置２２ａに入力されるＰＷＭ信号、（ｂ）は第２ＬＥＤ電源装置２２ｂに入力されるＰＷＭ信号を示す図である。
【図７】実施の形態２のＬＥＤ照明システム１００ｄの構成を示すシステム構成図である。
【図８】実施の形態２に係る増設用ＬＥＤ照明ユニット２０ｃの構成を示す構成図である。
【発明を実施するための形態】
【００１１】
実施の形態１．
図１は、本実施の形態に係るＬＥＤ照明システム１００ａ（ＬＥＤ照明装置）の構成を示すシステム構成図である。
【００１２】
ＬＥＤ照明システム１００ａは、第１色温度コントローラー１７ａと、この第１色温度コントローラー１７ａから出力される色温度可変信号を入力する第１ＬＥＤ照明ユニット２０ａとを備える。
【００１３】
第１色温度コントローラー１７ａは、ボリューム抵抗や、外部からのリモートコントロール（遠隔）操作によって、色温度を可変するための色温度情報を入力する。そして、第１色温度コントローラー１７ａは、入力した色温度情報に基づく制御信号、例えば、ＰＷＭ信号（パルス幅変調信号）を出力する。
【００１４】
第１ＬＥＤ照明ユニット２０ａは、照明器具本体２１ａと、第１ＬＥＤ電源装置２２ａと、第１ＬＥＤモジュール２３ａと、第１連結部２４ａ１、第２連結部２４ａ２と、第２ＬＥＤモジュール２５ａとを備える。
【００１５】
第１ＬＥＤ電源装置２２ａは、照明器具本体２１ａに取り付けられ、第１色温度コントローラー１７ａに接続されるとともに、第１ＬＥＤモジュール２３ａに接続される。第１ＬＥＤ電源装置２２ａは、商用電源１０から交流電圧が入力され、入力された交流電圧を直流電圧に変換して、第１ＬＥＤモジュール２３ａと、第２ＬＥＤモジュール２５ａに直流電流を供給する。
【００１６】
また、第１ＬＥＤ電源装置２２ａは、第１色温度コントローラー１７ａから、色温度情報に基づく制御信号、例えば、ＰＷＭ信号（パルス幅変調信号）を入力する。そして、第１ＬＥＤ電源装置２２ａは、入力したＰＷＭ信号（パルス幅変調信号）に基づいて、第１ＬＥＤモジュール２３ａと、第２ＬＥＤモジュール２５ａに直流電流を供給する。
【００１７】
第１ＬＥＤモジュール２３ａは、４つのＬＥＤ５ａａ〜５ａｄを備え、４つのＬＥＤ５ａａ〜５ａｄは直列に接続される。ＬＥＤモジュールとはＬＥＤパッケージを基板に取り付け使用可能にした最小構成のことであり、ＬＥＤ基板ともいう。第１ＬＥＤモジュール２３ａは、第１のＬＥＤ基板ともいう。４つのＬＥＤ５ａａ〜５ａｄは、色温度（光色）が、例えば、３０００Ｋである。
【００１８】
第２ＬＥＤモジュール２５ａは、４つのＬＥＤ４ａａ〜４ａｄを備え、４つのＬＥＤ４ａａ〜４ａｄは直列に接続される。第２ＬＥＤモジュール２５ａは、第２のＬＥＤ基板ともいう。４つのＬＥＤ４ａａ〜４ａｄは、色温度（光色）が、例えば、５０００Ｋである。
【００１９】
第１ＬＥＤ照明ユニット２０ａは、４つのＬＥＤ５ａａ〜５ａｄ（第１のＬＥＤ）を実装する第１ＬＥＤモジュール２３ａ（第１のＬＥＤ基板）と、４つのＬＥＤ４ａａ〜４ａｄ（第２のＬＥＤ）を実装する第２ＬＥＤモジュール２５ａ（第２のＬＥＤ基板）と、第１ＬＥＤモジュール２３ａと第２ＬＥＤモジュール２５ａとを、接続が解除可能に電気的に接続する第１連結部２４ａ１（第１の接続部）及び第２連結部２４ａ２（第１の接続部）とを備える。
【００２０】
図１に示すように、第１連結部２４ａ１は、第１ＬＥＤモジュール２３ａの高電位側の導体と接続点Ａ３１で接続され、第２ＬＥＤモジュール２５ａの高電位側の導体と接続点Ａ５１で接続される。また、第２連結部２４ａ２は、第２ＬＥＤモジュール２５ａの低電位側の導体と接続点Ａ５２で接続され、第１ＬＥＤモジュール２３ａの低電位側の導体と接続点Ａ３２で接続される。
【００２１】
すなわち、第１ＬＥＤ照明ユニット２０ａでは、第１ＬＥＤモジュール２３ａと第２ＬＥＤモジュール２５ａとが直列に接続されるとともに、４つのＬＥＤ５ａａ〜５ａｄと４つのＬＥＤ４ａａ〜４ａｄとが直列に接続される。
【００２２】
図２は、本実施の形態に係る第１連結部２４ａ１及び第２連結部２４ａ２の詳細構造を示す断面図である。
【００２３】
第１連結部２４ａ１及び第２連結部２４ａ２は、外形形状が直方体の連結部本体１６と、２つの電極１３ａ，１３ｂとを備える。２つの電極１３ａ，１３ｂは、連結部本体１６に収納される。
【００２４】
２つの電極１３ａ，１３ｂは、一方の端部が円弧状に折り返されており、「こざとへん」形状、Ｒ形状をなす。２つの電極１３ａ，１３ｂは、円弧状に折り返された部分である接触部１３２ａ，１３２ｂが向き合うように配置され、連結部本体１６に収納される。
【００２５】
この２つの電極１３ａ、１３ｂの、円弧状に折り返された部分（Ｒ形状をなす部分）は、接触部１３２ａ，１３２ｂであり、弾性力を有し、接触部１３２ａ，１３２ｂは互いに向かい合って配置されるとともに、接触点１４において接触している。
【００２６】
２つの電極１３ａ，１３ｂの折り返されていない方の端部（他方の端部）は、基板導通部１３１ａ，１３２ｂであり、連結部本体１６の外部に露出する。連結部本体１６の外部に露出した基板導通部１３１ａ，１３１ｂは、接続点Ａ５１，Ａ５２，Ａ３１，Ａ３２において第１ＬＥＤモジュール２３ａ及び第２ＬＥＤモジュール２５ａの導体と導通する。
【００２７】
第１連結部２４ａ１の基板導通部１３１ａ，１３１ｂは、それぞれ第１ＬＥＤモジュール２３ａの高電位側の導体と接続点Ａ３１において導通（接続）し、第２ＬＥＤモジュール２５ａの高電位側の導体と接続点Ａ５１において導通（接続）する。また、第２連結部２４ａ２の基板導通部１３１ａ，１３１ｂは、それぞれ第２ＬＥＤモジュール２５ａの低電位側の導体と接続点Ａ５２において導通（接続）し、第１ＬＥＤモジュール２３ａの低電位側の導体と接続点Ａ３２において導通（接続）する。
【００２８】
以上のように、３０００Ｋ用の第１ＬＥＤ照明ユニット２０ａを１台で点灯させる場合、第１ＬＥＤ照明ユニット２０ａの接続関係は以下のような回路を構成する。
（１）第１ＬＥＤ電源装置２２ａ、（２）第１ＬＥＤモジュール２３ａの高電位側端子、（３）４つのＬＥＤ５ａａ〜５ａｄ、（４）第１連結部２４ａ１の基板導通部１３１ｂ（接続点Ａ３１）、（５）第１連結部２４ａ１の接触点１４、（６）第１連結部２４ａ１の基板導通部１３１ａ（接続点Ａ５１）、（７）第２ＬＥＤモジュール２５ａの高電位側端子、（８）４つのＬＥＤ４ａａ〜４ａｄ、（９）第２ＬＥＤモジュール２５ａの低電位側端子、（１０）第２連結部２４ａ２の基板導通部１３１ａ（接続点Ａ５２）、（１１）第２連結部２４ａ２の接触点１４、（１２）第２連結部２４ａ２の基板導通部１３１ｂ（接続点Ａ３２）、（１３）第１ＬＥＤモジュール２３ａの低電位側端子、（１４）第１ＬＥＤ電源装置２２ａ。
【００２９】
つまり、３０００Ｋ用のＬＥＤ５ａａ〜５ａｄと、５０００Ｋ用のＬＥＤ４ａａ〜４ａｄが直列に接続されることになる。
【００３０】
第１ＬＥＤ照明ユニット２０ａの第１連結部２４ａ１、第２連結部２４ａ２には何も接続されていない状態なので、第１連結部２４ａ１、第２連結部２４ａ２の電極１３ａと電極１３ｂとは短絡されて電気的に通電している。このため、３０００Ｋ用のＬＥＤ５ａａ〜５ａｄと５０００Ｋ用のＬＥＤ４ａａ〜４ａｄは同時に点灯する。
【００３１】
この場合、３０００Ｋ用の第１ＬＥＤ照明ユニット２０ａを１台だけでも点灯させることは可能だが、第１色温度コントローラー１７ａでＰＷＭ調光信号を制御しても明るさだけ変化して色温度は変化させることができない。
【００３２】
次に、図１のＬＥＤ照明システム１００ａとは別のＬＥＤ照明システム１００ｂについて説明する。
【００３３】
図３は、本実施の形態のＬＥＤ照明システム１００ｂの構成を示すシステム構成図である。
【００３４】
ＬＥＤ照明システム１００ｂは、第２色温度コントローラー１７ｂと、この第２色温度コントローラー１７ｂから出力される色温度可変信号を入力する第２ＬＥＤ照明ユニット２０ｂとを備える。
【００３５】
第２色温度コントローラー１７ｂは、ボリューム抵抗や、外部からのリモートコントロール（遠隔）操作によって、色温度を可変するための色温度情報を入力する。そして、第２色温度コントローラー１７ｂは、入力した色温度情報に基づく制御信号、例えば、ＰＷＭ信号（パルス幅変調信号）を出力する。
【００３６】
第２ＬＥＤ照明ユニット２０ｂは、照明器具本体２１ｂと、第２ＬＥＤ電源装置２２ｂと、第３ＬＥＤモジュール２３ｂと、第３連結部２４ｂ３、第４連結部２４ｂ４と、第４ＬＥＤモジュール２５ｂとを備える。
【００３７】
第２ＬＥＤ電源装置２２ｂは、照明器具本体２１ｂに取り付けられ、第２色温度コントローラー１７ｂに接続されるとともに、第３ＬＥＤモジュール２３ｂに接続される。第２ＬＥＤ電源装置２２ｂは、商用電源１０から交流電圧が入力され、入力された交流電圧を直流電圧に変換して、第３ＬＥＤモジュール２３ｂと、第４ＬＥＤモジュール２５ｂに直流電流を供給する。
【００３８】
また、第２ＬＥＤ電源装置２２ｂは、第２色温度コントローラー１７ｂから、色温度情報に基づく制御信号、例えば、ＰＷＭ信号（パルス幅変調信号）を入力する。そして、第２ＬＥＤ電源装置２２ｂは、入力したＰＷＭ信号（パルス幅変調信号）に基づいて、第３ＬＥＤモジュール２３ｂと、第４ＬＥＤモジュール２５ｂに直流電流を供給する。
【００３９】
第３ＬＥＤモジュール２３ｂは、４つのＬＥＤ５ｂａ〜５ｂｄを備え、４つのＬＥＤ５ｂａ〜５ｂｄは直列に接続される。ＬＥＤモジュールとはＬＥＤパッケージを基板に取り付け使用可能にした最小構成のことであり、ＬＥＤ基板ともいう。第３ＬＥＤモジュール２３ｂは、第３のＬＥＤ基板ともいう。４つのＬＥＤ５ｂａ〜５ｂｄは、色温度（光色）が、例えば、３０００Ｋである。
【００４０】
第４ＬＥＤモジュール２５ｂは、４つのＬＥＤ４ｂａ〜４ｂｄを備え、４つのＬＥＤ４ｂａ〜４ｂｄは直列に接続される。ＬＥＤモジュールとはＬＥＤパッケージを基板に取り付け使用可能にした最小構成のことであり、ＬＥＤ基板ともいう。第４ＬＥＤモジュール２５ｂは、第４のＬＥＤ基板ともいう。４つのＬＥＤ４ｂａ〜４ｂｄは、色温度（光色）が、例えば、５０００Ｋである。
【００４１】
このＬＥＤ照明システム１００ｂの構成は、図１において説明した第１色温度コントローラー１７ａと第１ＬＥＤ照明ユニット２０ａとを組み合わせたＬＥＤ照明システム１００ａと同様の機能を有する。同様の機能を有する構成には、添え字だけが異なる同一の符号を付している。例えば、第１ＬＥＤ照明ユニット２０ａと第２ＬＥＤ照明ユニット２０ｂ、第１ＬＥＤモジュール２３ａと第３ＬＥＤモジュール２３ｂ、第２ＬＥＤモジュール２５ａと第４ＬＥＤモジュール２５ｂ、第１色温度コントローラー１７ａと第２色温度コントローラー１７ｂ等である。対応する同様の機能を有する構成部については、その説明を省略する。
【００４２】
また、第３連結部２４ｂ３、第４連結部２４ｂ４は、第１連結部２４ａ１、第２連結部２４ａ２と同様の形状であり、同様の構成であるのでその説明を省略する。第２ＬＥＤ電源装置２２ｂは、第１ＬＥＤ電源装置２２ａと同様の構成及び同様の機能であるので、その説明を省略する。第１ＬＥＤ電源装置２２ａは、３０００Ｋ用の電源装置であり、第２ＬＥＤ電源装置２２ｂは５０００Ｋ用の電源装置であるものとする。
【００４３】
ＬＥＤ照明システム１００ｂと同様に、５０００Ｋ用の第２ＬＥＤ照明ユニット２０ｂを１台で点灯させる場合、第２ＬＥＤ照明ユニット２０ｂの接続関係は以下のような回路を構成する。
（１）第２ＬＥＤ電源装置２２ｂ、（２）第３ＬＥＤモジュール２３ｂの高電位側端子、（３）第４連結部２４ｂ４の基板導通部１３１ｂ（接続点Ｂ３２）、（４）第４連結部２４ｂ４の接触点１４、（５）第４連結部２４ｂ４の基板導通部１３１ａ（接続点Ｂ５２）、（６）第４ＬＥＤモジュール２５ｂの高電位側端子、（７）４つのＬＥＤ４ｂａ〜４ｂｄ、（８）第４ＬＥＤモジュール２５ｂの低電位側端子、（９）第３連結部２４ｂ３の基板導通部１３１ａ（接続点Ｂ５１）、（１０）第３連結部２４ｂ３の接触点１４、（１１）第３連結部２４ｂ３の基板導通部１３１ｂ（接続点Ｂ３１）、（１２）４つのＬＥＤ５ｂａ〜５ｂｄ、（１３）第３ＬＥＤモジュール２３ｂの低電位側端子、（１４）第２ＬＥＤ電源装置２２ｂ。つまり、５０００Ｋ用のＬＥＤ４ｂａ〜４ｂｄと、３０００Ｋ用のＬＥＤ５ｂａ〜５ｂｄが直列に接続されることになる。
【００４４】
第２ＬＥＤ照明ユニット２０ｂの第３連結部２４ｂ３、第４連結部２４ｂ４には何も接続されていない状態なので、第３連結部２４ｂ３、第４連結部２４ｂ４のそれぞれの電極１３ａと電極１３ｂとは短絡されて電気的に通電している。このため、３０００Ｋ用のＬＥＤ５ｂａ〜５ｂｄと５０００Ｋ用のＬＥＤ４ｂａ〜４ｂｄとは同時に点灯する。
【００４５】
この場合、５０００Ｋ用の第２ＬＥＤ照明ユニット２０ｂを１台だけでも点灯させることは可能だが、第２色温度コントローラー１７ｂでＰＷＭ調光信号を制御しても明るさだけ変化して色温度は変化させることができない。
【００４６】
次に、３０００Ｋ用の第１ＬＥＤ照明ユニット２０ａと５０００Ｋ用の第２ＬＥＤ照明ユニット２０ｂとを接続（連結）させた場合のＬＥＤ照明システム１００ｃについて説明する。
【００４７】
図４は、本実施の形態に係るＬＥＤ照明システム１００ｃのシステム構成を示す図である。図５は、本実施の形態に係る連結用アタッチメント４０の詳細構成を示す構成図であり、（ａ）は連結用アタッチメント４０ａ（連結用アタッチメント４０ｂ）に第１連結部２４ａ１（第２連結部２４ａ２）と第３連結部２４ｂ３（第４連結部２４ｂ４）とを連結する前の状態、（ｂ）は連結用アタッチメント４０ａ（連結用アタッチメント４０ｂ）に第１連結部２４ａ１（第２連結部２４ａ２）と第３連結部２４ｂ３（第４連結部２４ｂ４）とを連結した状態を示す図である。
【００４８】
図４に示すように、ＬＥＤ照明システム１００ｃは、色温度コントローラー１７ｃと、この色温度コントローラー１７ｃから出力される色温度可変信号を入力する第１ＬＥＤ照明ユニット２０ａと、同じく色温度コントローラー１７ｃから出力される色温度可変信号を入力する第２ＬＥＤ照明ユニット２０ｂとを備える。また、ＬＥＤ照明システム１００ｃは、第１ＬＥＤ照明ユニット２０ａと第２ＬＥＤ照明ユニット２０ｂとを連結する連結用アタッチメント４０ａ，４０ｂとを備える。
【００４９】
図４に示すように、連結用アタッチメント４０ａは、第１ＬＥＤ照明ユニット２０ａの第１連結部２４ａ１と第２ＬＥＤ照明ユニット２０ｂの第３連結部２４ｂ３とを連結する。また、連結用アタッチメント４０ｂは、第１ＬＥＤ照明ユニット２０ａの第２連結部２４ａ２と第２ＬＥＤ照明ユニット２０ｂの第４連結部２４ｂ４とを連結する。
【００５０】
連結用アタッチメント４０ａ，４０ｂは、第１連結部２４ａ１及び第２連結部２４ａ２（第１の接続部）に物理的に連結するとともに第３連結部２４ｂ３及び第４連結部２４ｂ４（第２の接続部）に物理的に連結することにより、第１ＬＥＤ照明ユニット２０ａと第２ＬＥＤ照明ユニット２０ｂとを物理的に連結するユニット連結部である。
【００５１】
図４では、連結用アタッチメント４０ａ，４０ｂは同一の形状及び構成を備える。また、連結用アタッチメント４０ａ，４０ｂは２つの部品としているが、例えば、点線で表したように、連結用アタッチメント４０ａ，４０ｂを１つの部品として構成してもよい。
【００５２】
連結用アタッチメント４０ａ，４０ｂ（ユニット連結部）は、第１連結部２４ａ１及び第２連結部２４ａ２（第１の接続部）に物理的に連結することにより第１ＬＥＤモジュール２３ａ（第１のＬＥＤ基板）と第２ＬＥＤモジュール２５ａ（第２のＬＥＤ基板）との電気的な接続を解除するとともに、第３連結部２４ｂ３及び第４連結部２４ｂ４（第２の接続部）に物理的に連結することにより第１ＬＥＤモジュール２３ａ（第１のＬＥＤ基板）と第３ＬＥＤモジュール２３ｂ（第３のＬＥＤ基板）とを電気的に接続する。
【００５３】
連結用アタッチメント４０ａと連結用アタッチメント４０ｂとは、同一形状及び同一機能であるため、添え字を付さないで説明する場合もある。
【００５４】
図５に示すように、連結用アタッチメント４０は、外形形状が直方体形状をなし、断面形状が「王」の字状に形成される樹脂製のアタッチメント本体４１を備える。また、連結用アタッチメント４０は、このアタッチメント本体４１の内部の壁面に沿って取り付けられる２つの電極１８，１９を備える。
【００５５】
図５（ａ）に示すように、アタッチメント本体４１は、断面形状が王の字形状であり、第１の壁部４２と、第２の壁部４３と、第１の壁部４２と第２の壁部４３との間に位置する差し込み用壁部４４とを備える。差し込み用壁部４４の一方の表面（第１の壁部４２側の面）には、電極１８が設けられ、一方の表面の裏面（他方の表面、第２の壁部４３側の面）には、電極１９が設けられる。
【００５６】
図４に示すように、３０００Ｋ用の第１ＬＥＤ照明ユニット２０ａと、５０００Ｋ用の第２ＬＥＤ照明ユニット２０ｂを連結させて使用する場合、第１ＬＥＤ照明ユニット２０ａの第１連結部２４ａ１、第２連結部２４ａ２と、第２ＬＥＤ照明ユニット２０ｂの第３連結部２４ｂ３、第４連結部２４ｂ４との間に連結用アタッチメント４０ａ，４０ｂを装着する。
【００５７】
図５（ａ）（ｂ）に示すように、連結用アタッチメント４０ａの差し込み用壁部４４が、第１連結部２４ａ１の電極１３ａと電極１３ｂとの接触点１４と、第３連結部２４ｂ３の電極１３ａと電極１３ｂとの接触点１４とに差し込まれ、第１連結部２４ａ１の接触点１４と第３連結部２４ｂ３の接触点１４とは切り離される。
【００５８】
そして、図５（ｂ）に示すように、第１連結部２４ａ１の電極１３ａと電極１８とが電極１３ａの弾性力により確実に接触するとともに、第３連結部２４ｂ３の電極１３ａと電極１８とが電極１３ａの弾性力により確実に接触し、第１連結部２４ａ１の電極１３ａと第３連結部２４ｂ３の電極１３ａとが電極１８を介して導通する。つまり、Ａ５１とＢ５１とが接続される。
【００５９】
また、第１連結部２４ａ１の電極１３ｂと電極１９とが電極１３ｂの弾性力により確実に接触するとともに、第３連結部２４ｂ３の電極１３ｂと電極１９とが電極１３ｂの弾性力により確実に接触し、第１連結部２４ａ１の電極１３ｂと第３連結部２４ｂ３の電極１３ｂとが電極１９を介して導通する。つまり、Ａ３１とＢ３１とが接続される。
【００６０】
同様に、連結用アタッチメント４０ｂの差し込み用壁部４４が、第２連結部２４ａ２の電極１３ａと電極１３ｂの接触点１４と、第４連結部２４ｂ４の電極１３ａと電極１３ｂの接触点１４とに差し込まれ、第２連結部２４ａ２の接触点１４と第４連結部２４ｂ４の接触点１４とは切り離される。
【００６１】
そして、第２連結部２４ａ２の電極１３ａと電極１８とが接触するとともに、第４連結部２４ｂ４の電極１３ａと電極１８とが接触し、第２連結部２４ａ２の電極１３ａと第４連結部２４ｂ４の電極１３ａとが電極１８を介して導通する。つまり、Ａ５２とＢ５２とが接続される。
【００６２】
また、第２連結部２４ａ２の電極１３ｂと電極１９とが接触するとともに、第４連結部２４ｂ４の電極１３ｂと電極１９とが接触し、第２連結部２４ａ２の電極１３ｂと第４連結部２４ｂ４の電極１３ｂとが電極１９を介して導通する。つまり、Ａ３２とＢ３２とが接続される。
【００６３】
以上のように、連結用アタッチメント４０を介して、第１ＬＥＤ照明ユニット２０ａの３０００Ｋ用のＬＥＤ５ａａ〜５ａｄと第２ＬＥＤ照明ユニット２０ｂの３０００Ｋ用のＬＥＤ５ａａ〜５ａｄは、第１ＬＥＤ照明ユニット２０ａ（３０００Ｋ用）の第１ＬＥＤ電源装置２２ａに接続される。
【００６４】
また、連結用アタッチメント４０を介して、第１ＬＥＤ照明ユニット２０ａの５０００Ｋ用のＬＥＤ４ａａ〜４ａｄと第２ＬＥＤ照明ユニット２０ｂの５０００Ｋ用のＬＥＤ４ａａ〜４ａｄは、第２ＬＥＤ照明ユニット２０ｂ（５０００Ｋ用）の第２ＬＥＤ電源装置２２ｂに接続される。
【００６５】
同時に、連結用アタッチメント４０が２台のＬＥＤ照明ユニット（２０ａ、２０ｂ）を機械的に接続させることができる。また、色温度コントローラー１７ｃは、３０００Ｋ用の第１ＬＥＤ照明ユニット２０ａと、５０００Ｋ用の第２ＬＥＤ照明ユニット２０ｂとに接続されている。
【００６６】
以上のように、連結用アタッチメント４０ａ，４０ｂにより、第１ＬＥＤ照明ユニット２０ａと第２ＬＥＤ照明ユニット２０ｂが物理的及び電気的に接続されると、次のような回路が形成される。
【００６７】
まず、３０００Ｋ用の接続回路は次のような回路となる。
（１）第１ＬＥＤ電源装置２２ａ（３０００Ｋ用）、（２）第１ＬＥＤモジュール２３ａの高電位側端子、（３）４つのＬＥＤ５ａａ〜５ａｄ、（４）第１ＬＥＤ照明ユニット２０ａのＡ３１接続点、（５）第１連結部、（６）連結用アタッチメント４０ｂ、（７）第３連結部、（８）第２ＬＥＤ照明ユニット２０ｂのＢ３１接続点、（９）第３ＬＥＤモジュール２３ｂの高電位側端子、（１０）４つのＬＥＤ５ｂａ〜５ｂｄ、（１１）第３ＬＥＤモジュール２３ｂの低電位側端子、（１２）第２ＬＥＤ照明ユニット２０ｂのＢ３２接続点、（１３）第４連結部、（１４）連結用アタッチメント４０ａ、（１５）第２連結部、（１６）第１ＬＥＤ照明ユニット２０ａのＡ３２接続点、（１７）第１ＬＥＤモジュール２３ａの低電位側端子、（１８）第１ＬＥＤ電源装置２２ａ（３０００Ｋ用）。
【００６８】
つまり、３０００Ｋ用のＬＥＤ５ａａ〜５ａｄと、３０００Ｋ用のＬＥＤ５ｂａ〜５ｂｄとが直列に接続されるとともに、３０００Ｋ用の第１ＬＥＤ電源装置２２ａに接続されることになる。この３０００Ｋ用の照明回路は、ＬＥＤの明るさ及び光色の制御が可能である。
【００６９】
次に、３５０００Ｋ用の接続回路は次のような回路となる。
（１）第２ＬＥＤ電源装置２２ｂ（５０００Ｋ用）、（２）第４ＬＥＤモジュール２５ｂの高電位側端子、（３）４つのＬＥＤ４ｂａ〜４ｂｄ、（４）第２ＬＥＤ照明ユニット２０ｂのＢ５１接続点、（５）第３連結部、（６）連結用アタッチメント４０ａ、（７）第１連結部、（８）第１ＬＥＤ照明ユニット２０ａのＡ５１接続点、（９）第２ＬＥＤモジュール２５ａの高電位側端子、（１０）４つのＬＥＤ４ａａ〜４ａｄ、（１１）第２ＬＥＤモジュール２５ａの低電位側端子、（１２）第１ＬＥＤ照明ユニット２０ａのＡ５２接続点、（１３）第２連結部、（１４）連結用アタッチメント４０ｂ、（１５）第４連結部、（１６）第２ＬＥＤ照明ユニット２０ｂのＢ５２接続点、（１７）第４ＬＥＤモジュール２５ｂの低電位側端子、（１８）第２ＬＥＤ電源装置２２ｂ（５０００Ｋ用）。
【００７０】
つまり、５０００Ｋ用のＬＥＤ４ａａ〜４ａｄと、５０００Ｋ用のＬＥＤ４ｂａ〜４ｂｄとが直列に接続されるとともに、５０００Ｋ用の第２ＬＥＤ電源装置２２ｂに接続されることになる。この５０００Ｋ用の照明回路は、ＬＥＤの明るさ及び光色の制御が可能である。
【００７１】
以上のように、ＬＥＤ照明システム１００ｃ（ＬＥＤ照明装置）は、連結用アタッチメント４０ｂ（ユニット連結部）が第１連結部２４ａ１（第１の接続部）に物理的に連結しているとともに第３連結部２４ｂ３（第２の接続部）に物理的に連結している場合に、第３連結部２４ｂ３と第１連結部２４ａ１と第１ＬＥＤモジュール２３ａとを介して第１ＬＥＤ電源装置２２ａ（第１の電源装置）から電力の供給を受け、第３ＬＥＤモジュール２３ｂ（第３のＬＥＤ基板）を点灯させる。
【００７２】
これにより、例えば、第２ＬＥＤ電源装置２２ｂが故障した場合であっても、第１ＬＥＤモジュール２３ａと第３ＬＥＤモジュール２３ｂとは色温度可変可能に第１ＬＥＤ電源装置２２ａの電力により発光することができる。
【００７３】
連結用アタッチメント４０ａ，４０ｂ（ユニット連結部）は、第３連結部２４ｂ３及び第４連結部２４ｂ４（第２の接続部）に物理的に連結することにより第３ＬＥＤモジュール２３ｂ（第３のＬＥＤ基板）と第４ＬＥＤモジュール２５ｂ（第４のＬＥＤ基板）との電気的な接続を解除するとともに、第１連結部２４ａ１及び第２連結部２４ａ２（第１の接続部）に物理的に連結することにより第２ＬＥＤモジュール２５ａ（第２のＬＥＤ基板）と第４ＬＥＤモジュール２５ｂ（第４のＬＥＤ基板）とを電気的に接続する。
【００７４】
そして、ＬＥＤ照明システム１００ｃ（ＬＥＤ照明装置）は、連結用アタッチメント４０ａ（ユニット連結部）が第２連結部２４ａ２（第１の接続部）に物理的に連結しているとともに第４連結部２４ｂ４（第２の接続部）に物理的に連結している場合に、第２連結部２４ａ２と第４連結部２４ｂ４と第４ＬＥＤモジュール２５ｂとを介して第２ＬＥＤ電源装置２２ｂ（第２の電源装置）から電力の供給を受け、第２ＬＥＤモジュール２５ａ（第２のＬＥＤ基板）を点灯させる。
【００７５】
これにより、例えば、第１ＬＥＤ電源装置２２ａが故障した場合であっても、第２ＬＥＤモジュール２５ａと第４ＬＥＤモジュール２５ｂとは色温度可変可能に第２ＬＥＤ電源装置２２ｂの電力により発光することができる。
【００７６】
図６は、実施の形態１に係る色温度コントローラー１７ｃの信号波形を示す図であり、（ａ）は第１ＬＥＤ電源装置２２ａに入力されるＰＷＭ信号、（ｂ）は第２ＬＥＤ電源装置２２ｂに入力されるＰＷＭ信号を示す図である。
【００７７】
ＬＥＤ照明システム１００ｃでは、色温度コントローラー１７ｃが出力するＰＷＭ信号のＯＮ−Ｄｕｔｙの比率を変えることによって、第１ＬＥＤ電源装置２２ａおよび第２ＬＥＤ電源装置２２ｂの出力電流を可変させる。
【００７８】
このとき、同じＰＷＭ信号が第１ＬＥＤ電源装置２２ａ、第２ＬＥＤ電源装置２２ｂに入力されると、それぞれのＬＥＤ４ａａ〜４ａｄ及び４ｂａ〜４ｂｄ、５ａａ〜５ａｄ及び５ｂａ〜５ｂｄの出力電流が同じ比率で変化して明るさが変わるだけで色温度は可変しない。
【００７９】
そこで、図６（ａ）（ｂ）に示すように、第２ＬＥＤ電源装置２２ｂに入力されるＰＷＭ信号（図６（ｂ））を第１ＬＥＤ電源装置２２ａに入力されるＰＷＭ信号（図６（ａ））に対して、ＯＮ−Ｄｕｔｙを反転させる。これにより、第１ＬＥＤ電源装置２２ａの出力電流が大きくなるとき、第２ＬＥＤ電源装置２２ｂの出力電流が小さくなるので、３０００Ｋ用ＬＥＤ（第１ＬＥＤ）５ａａ〜５ａｄ及び５ｂａ〜５ｂｄと、５０００Ｋ用ＬＥＤ（第２ＬＥＤ）４ａａ〜４ａｄ及び４ｂａ〜４ｂｄが発光する合成された光の色温度が可変可能となる。
【００８０】
実施の形態２．
本実施の形態は、実施の形態１のＬＥＤ照明システム１００ｃに、ＬＥＤ電源装置を備えていない増設用ＬＥＤ照明ユニット２０ｃを追加するものである。
【００８１】
図７は、本実施の形態のＬＥＤ照明システム１００ｄの構成を示すシステム構成図である。図８は、本実施の形態に係る増設用ＬＥＤ照明ユニット２０ｃの構成を示す構成図である。
【００８２】
図７に示すように、ＬＥＤ照明システム１００ｄは、色温度コントローラー１７ｄと、この色温度コントローラー１７ｄから出力される色温度可変信号を入力する第１ＬＥＤ照明ユニット２０ａと、同じく色温度コントローラー１７ｄから出力される色温度可変信号を入力する第２ＬＥＤ照明ユニット２０ｂと、第１ＬＥＤ照明ユニット２０ａと第２ＬＥＤ照明ユニット２０ｂとの間に接続される増設用ＬＥＤ照明ユニット２０ｃとを備える。
【００８３】
また、第１ＬＥＤ照明ユニット２０ａと増設用ＬＥＤ照明ユニット２０ｃとを連結する連結用アタッチメント６０と、第２ＬＥＤ照明ユニット２０ｂと増設用ＬＥＤ照明ユニット２０ｃとを連結する連結用アタッチメント６１とを備える。
【００８４】
連結用アタッチメント６０は、実施の形態１において説明した連結用アタッチメント４０ａと連結用アタッチメント４０ｂとが一体的に形成されたものである（図４、図５参照）。連結用アタッチメント６０は、短手方向の一端部に連結用アタッチメント４０ａを備え、短手方向の他端部に連結用アタッチメント４０ｂを備える。
【００８５】
本実施の形態では、連結用アタッチメント４０ａと連結用アタッチメント４０ｂとが一体的に形成されている連結用アタッチメント６０，６１について説明するが、連結用アタッチメント４０ａと連結用アタッチメント４０ｂとを別部品として構成してもよい。
【００８６】
連結用アタッチメント６１は、連結用アタッチメント６０と同一の形状及び構成（機能）を有し、連結用アタッチメント４０ａと連結用アタッチメント４０ｂとが一体的に形成されたものである。
【００８７】
図８に示すように、増設用ＬＥＤ照明ユニット２０ｃは、３０００Ｋ用の第５ＬＥＤモジュール２３ｃと、５０００Ｋ用の第６ＬＥＤモジュール２５ｃとを備える。第５ＬＥＤモジュール２３ｃは、４つのＬＥＤ４ｃａ〜４ｃｄを備える。第６ＬＥＤモジュール２５ｃは、４つのＬＥＤ５ｃａ〜５ｃｄを備える。
【００８８】
図８に示すように、増設用ＬＥＤ照明ユニット２０ｃは、照明器具本体２１ｃと、この照明器具本体２１ｃの長手方向の一端側に設けられる第５連結部２４ｃ５及び第６連結部２４ｃ６と、照明器具本体２１ｃの長手方向の他端側に設けられる第７連結部２４ｃ７及び第８連結部２４ｃ８とを備える。
【００８９】
第５連結部２４ｃ５は、第５ＬＥＤモジュール２３ｃに接続される導体と接続点Ｃ３１１において接続され、第６ＬＥＤモジュール２５ｃに接続される導体と接続点Ｃ５１１において接続される。第６連結部２４ｃ６は、第５ＬＥＤモジュール２３ｃに接続される導体と接続点Ｃ３２１において接続され、第６ＬＥＤモジュール２５ｃに接続される導体と接続点Ｃ５２１において接続される。第７連結部２４ｃ７は、第５ＬＥＤモジュール２３ｃに接続される導体と接続点Ｃ３１２において接続され、第６ＬＥＤモジュール２５ｃに接続される導体と接続点Ｃ５１２において接続される。第８連結部２４ｃ８は、第５ＬＥＤモジュール２３ｃに接続される導体と接続点Ｃ３２２において接続され、第６ＬＥＤモジュール２５ｃに接続される導体と接続点Ｃ５２２において接続される。
【００９０】
第５連結部２４ｃ５〜第８連結部２４ｃ８は、第１連結部２４ａ１〜第４連結部２４ｂ４と同様の構成及び形状であるため、その説明を省略する。
【００９１】
図８に示すように、増設用ＬＥＤ照明ユニット２０ｃは、ＬＥＤ電源装置を備えておらず、増設用ＬＥＤ照明ユニット２０ｃだけではＬＥＤ５ｃａ〜５ｃｄ、ＬＥＤ５ｃａ〜５ｃｄを点灯させることはできない。
【００９２】
図７に示すように、連結用アタッチメント６０により、第１ＬＥＤ照明ユニット２０ａの第１連結部２４ａ１と増設用ＬＥＤ照明ユニット２０ｃの第５連結部２４ｃ５とが、連結用アタッチメント６０（４０ｂ）を介して接続される。また、連結用アタッチメント６０により、第１ＬＥＤ照明ユニット２０ａの第２連結部２４ａ２と増設用ＬＥＤ照明ユニット２０ｃの第６連結部２４ｃ６とが、連結用アタッチメント６０（４０ａ）を介して接続される。
【００９３】
つまり、連結用アタッチメント６０により、接続点Ａ３１との接続点Ｃ３１１とが接続され、接続点Ａ５１と接続点Ｃ５１１とが接続される。また、連結用アタッチメント６０により、接続点Ａ３２との接続点Ｃ３２１とが接続され、接続点Ａ５２と接続点Ｃ５２１とが接続される。
【００９４】
同様に、連結用アタッチメント６１により、接続点Ｂ３１との接続点Ｃ３１２とが接続され、接続点Ｂ５１と接続点Ｃ５１２とが接続される。また、連結用アタッチメント６１により、接続点Ｂ３２との接続点Ｃ３２２とが接続され、接続点Ｂ５２と接続点Ｃ５２２とが接続される。
【００９５】
したがって、次のような接続回路が形成される。まず、３０００Ｋ用のＬＥＤを接続する接続回路としては以下の（１）〜（２９（１））の接続回路が形成される。
【００９６】
（１）第１ＬＥＤ電源装置２２ａ（３０００Ｋ用）、（２）第１ＬＥＤモジュール２３ａの高電位側端子、（３）４つのＬＥＤ５ａａ〜５ａｄ、（４）第１ＬＥＤ照明ユニット２０ａのＡ３１接続点、（５）第１連結部、（６）連結用アタッチメント６０（４０ｂ）、（７）第５連結部、（８）増設用ＬＥＤ照明ユニット２０ｃのＣ３１１接続点、（９）第５ＬＥＤモジュール２３ｃの高電位側端子、（１０）４つのＬＥＤ５ｃａ〜５ｃｄ、（１１）第５ＬＥＤモジュール２３ｃの低電位側端子、（１２）増設用ＬＥＤ照明ユニット２０ｃのＣ３１２接続点、（１３）第７連結部、（１４）連結用アタッチメント６１（４０ｂ）、（１５）第３連結部、（１６）第２ＬＥＤ照明ユニット２０ｂのＢ３１接続点、（１７）第３ＬＥＤモジュール２３ｂの高電位側端子、（１８）４つのＬＥＤ５ｂａ〜５ｂｄ、（１９）第２ＬＥＤ照明ユニット２０ｂのＢ３２接続点、（２０）第４連結部、（２１）連結用アタッチメント６１（４０ａ）、（２２）第８連結部、（２３）増設用ＬＥＤ照明ユニット２０ｃのＣ３２２接続点、（２４）第５ＬＥＤモジュール２３ｃの低電位側端子、（２５）増設用ＬＥＤ照明ユニット２０ｃのＣ３２１接続点、（２６）第６連結部、（２７）第１ＬＥＤ照明ユニット２０ａのＡ３２接続点、（２８）第１ＬＥＤモジュール２３ａの低電位側端子、（２９（１））第１ＬＥＤ電源装置２２ａ（３０００Ｋ用）。
【００９７】
つまり、３０００Ｋ用のＬＥＤ５ａａ〜５ａｄと、３０００Ｋ用のＬＥＤ５ｃａ〜５ｃｄと、３０００Ｋ用のＬＥＤ５ｂａ〜５ｂｄとが直列に接続されるとともに、３０００Ｋ用の第１ＬＥＤ電源装置２２ａ接続されることになる。これにより、３０００Ｋ用のＬＥＤ５ａａ〜５ａｄと、３０００Ｋ用のＬＥＤ５ｃａ〜５ｃｄと、３０００Ｋ用のＬＥＤ５ｂａ〜５ｂｄとは、第１ＬＥＤ電源装置２２ａにより明るさ及び色温度の制御が可能となる。
【００９８】
次に、５０００Ｋ用のＬＥＤを接続する接続回路として、以下の（１）〜（３１（１））の接続回路が形成される。
【００９９】
（１）第２ＬＥＤ電源装置２２ｂ（５０００Ｋ用）、（２）第４ＬＥＤモジュール２５ｂの高電位側端子、（３）４つのＬＥＤ４ｂａ〜４ｂｄ、（４）第２ＬＥＤ照明ユニット２０ｂのＢ５１接続点、（５）第３連結部、（６）連結用アタッチメント６１（４０ｂ）、（７）第７連結部、（８）増設用ＬＥＤ照明ユニット２０ｃのＣ５１２接続点、（９）第６ＬＥＤモジュール２５ｃの高電位側端子、（１０）４つのＬＥＤ４ｃａ〜４ｃｄ、（１１）第６ＬＥＤモジュール２５ｃの低電位側端子、（１２）増設用ＬＥＤ照明ユニット２０ｃのＣ３１１接続点、（１３）第５連結部、（１４）連結用アタッチメント６０（４０ｂ）、（１５）第１連結部、（１６）第１ＬＥＤ照明ユニット２０ａのＡ３１接続点、（１７）第２ＬＥＤモジュール２５ａの高電位側端子、（１８）４つのＬＥＤ４ａａ〜４ａｄ、（１９）第１ＬＥＤ照明ユニット２０ａのＡ５２接続点、（２０）第２連結部、（２１）連結用アタッチメント６０（４０ａ）、（２２）第６連結部、（２３）増設用ＬＥＤ照明ユニット２０ｃのＣ５２１接続点、（２４）第６ＬＥＤモジュール２５ｃの低電位側端子、（２５）増設用ＬＥＤ照明ユニット２０ｃのＣ５２２接続点、（２６）第８連結部、（２７）連結用アタッチメント６１（４０ａ）、（２８）第４連結部、（２９）第２ＬＥＤ照明ユニット２０ｂのＢ５２接続点、（３０）第４ＬＥＤモジュール２５ｂの低電位側端子、（３１（１））第２ＬＥＤ電源装置２２ｂ（５０００Ｋ用）。
【０１００】
つまり、５０００Ｋ用のＬＥＤ４ａａ〜４ａｄと、５０００Ｋ用のＬＥＤ４ｃａ〜４ｃｄと、５０００Ｋ用のＬＥＤ４ｂａ〜４ｂｄとが直列に接続されるとともに、５０００Ｋ用の第２ＬＥＤ電源装置２２ｂ接続されることになる。これにより、５０００Ｋ用のＬＥＤ４ａａ〜４ａｄと、５０００Ｋ用のＬＥＤ４ｃａ〜４ｃｄと、５０００Ｋ用のＬＥＤ４ｂａ〜４ｂｄとは、第２ＬＥＤ電源装置２２ｂにより、明るさ及び色温度の制御が可能となる。
【０１０１】
以上のように、増設用ＬＥＤ照明ユニット２０ｃを連結することにより、ＬＥＤ電源装置の搭載数を追加することなく、明るさ及び色温度の制御が可能なＬＥＤ照明器具を提供することができる。
【０１０２】
また、第２ＬＥＤ電源装置２２ｂが故障した場合でも、３０００Ｋ用のＬＥＤ５ａａ〜５ａｄと、３０００Ｋ用のＬＥＤ５ｃａ〜５ｃｄと、３０００Ｋ用のＬＥＤ５ｂａ〜５ｂｄとを第１ＬＥＤ電源装置２２ａにより、点灯させることができる。３０００Ｋ用のＬＥＤ５ａａ〜５ａｄと、３０００Ｋ用のＬＥＤ５ｃａ〜５ｃｄと、３０００Ｋ用のＬＥＤ５ｂａ〜５ｂｄとは直列に配置されているので、色むらのない照明器具を提供することができる。第１ＬＥＤ電源装置２２ａが故障した場合でも、同様である。
【０１０３】
このように、ＬＥＤ電源装置の搭載数を減らし、安価で省スペースな色温度可変ＬＥＤ照明装置を提供することが可能である。
【０１０４】
以上、実施の形態１〜２について説明したが、これらの２つの実施の形態を組み合わせて実施しても構わない。あるいは、これらのうち、１つの実施の形態を部分的に実施しても構わない。あるいは、これらの２つの実施の形態を部分的に組み合わせて実施しても構わない。
【符号の説明】
【０１０５】
１０  商用電源、４ａａ〜４ａｄ，４ｂａ〜４ｂｄ，４ｃａ〜４ｃｄ，５ａａ〜５ａｄ，５ｂａ〜５ｂｄ，５ｃａ〜５ｃｄ  ＬＥＤ、１３ａ，１３ｂ  電極、１４  接触点、１６  連結部本体、１７ａ  第１色温度コントローラー、１７ｂ  第２色温度コントローラー、１７ｃ，１７ｄ  色温度コントローラー、１８，１９  電極、２０ａ  第１ＬＥＤ照明ユニット、２０ｂ  第２ＬＥＤ照明ユニット、２０ｃ  増設用ＬＥＤ照明ユニット、２１ａ，２１ｂ，２１ｃ  照明器具本体、２２ａ  第１ＬＥＤ電源装置、２２ｂ  第２ＬＥＤ電源装置、２３ａ  第１ＬＥＤモジュール、２３ｂ  第３ＬＥＤモジュール、２３ｃ  第５ＬＥＤモジュール、２４ａ１  第１連結部、２４ａ２  第２連結部、２４ｂ３  第３連結部、２４ｂ４  第４連結部、２４ｃ５  第５連結部、２４ｃ６  第６連結部、２４ｃ７  第７連結部、２４ｃ８  第８連結部、２５ａ  第２ＬＥＤモジュール、２５ｂ  第４ＬＥＤモジュール、２５ｃ  第６ＬＥＤモジュール、４０  連結用アタッチメント、４１  アタッチメント本体、４２  第１の壁部、４３  第２の壁部、４４  差し込み用壁部、６０，６１  連結用アタッチメント、１００  ＬＥＤ照明システム、１３１ａ，１３１ｂ  基板導通部、１３２ａ，１３２ｂ  接触部。
【図１】
2013004189.tif 000003
【図２】
2013004189.tif 000004
【図３】
2013004189.tif 000005
【図４】
2013004189.tif 000006
【図５】
2013004189.tif 000007
【図６】
2013004189.tif 000008
【図７】
2013004189.tif 000009
【図８】
2013004189.tif 000010